(57)【要約】【課題】  底部が中心を最深部とする錐形に形成された液体用内容器を上下方向を変えること無く自立可能とするとともに、錐形に形成された底部の先端部位の変形を防止できる詰め替え容器を得る。【解決手段】  上面部２に吸い出し口４を有し、底部５が中心を最深部とする錐形に形成された液体用内容器６と、液体用内容器６を起立状に支持する支持体７と、支持体７に支持された液体用内容器６の外周に、その先端部８を支持体７に掛止可能とした蓋体９と、蓋体９の頂面部１０に設けられ、支持体７に支持されている液体用内容器６内の液体を吸い込んで外部へ吐出する注出ポンプ１２とからなる詰め替え容器１であって、液体用内容器本体１３の下部に、底部５を覆い液体用内容器６を起立可能とするスカート部１４を設けた。【選択図】    図１
2020026288.tif 000002
【特許請求の範囲】
【請求項１】
上面部中央に吸い出し口を有し、底部が中心を最深部とする錐形に形成され、内部に液体を収容し、液体の消尽時に交換される液体用内容器と、前記液体用内容器の底部を支え前記液体用内容器を起立状に支持する支持体と、前記支持体に支持された前記液体用内容器の外周に上部から嵌合して内部に前記液体用内容器を収納し、その先端部を前記支持体に掛止可能とした蓋体と、前記蓋体の頂面部に設けられ、前記支持体に支持されている前記液体用内容器の前記吸い出し口から前記液体用内容器内に吸い込み管を差し込み液体を吸い込んで外部へ吐出する注出ポンプとからなり、前記蓋体を前記液体用内容器の外周に上部から嵌合したとき、前記注出ポンプの前記吸い込み管が前記液体用内容器の前記吸い出し口に差し込まれるようになっている詰め替え容器であって、
前記液体用内容器は液体用内容器本体の下部に、錐形に形成された前記底部を覆い前記液体用内容器を起立可能とするスカート部が設けられていることを特徴とする詰め替え容器。
【請求項２】
前記スカート部は、前記支持体に支持されている前記液体用内容器の外周に嵌合した前記蓋体の先端部が前記支持体に掛止した位置で、前記支持体に支持されている前記液体用内容器の垂直方向の位置を、前記吸い出し口から差し込まれた前記注出ポンプの前記吸い込み管の先端が前記底部の錐形内に位置するように位置決めする長さに設定されていることを特徴とする請求項１に記載の詰め替え容器。
【発明の詳細な説明】
【技術分野】
【０００１】
本発明は、化粧品や洗剤などの液体の詰め替えが可能な詰め替え容器に関する。
【背景技術】
【０００２】
従来、化粧品や洗剤などの液体の詰め替えが可能な詰め替え容器として、上面部に吸い出し口を有し、内部に液体を収容し、液体の消尽時に交換される液体用内容器と、液体用内容器の底部を支え液体用内容器を起立状に支持する支持体と、支持体に支持された液体用内容器の外周に上部から嵌合して内部に液体用内容器を収納する蓋体と、蓋体の頂面部に設けられた透孔を通して、支持体に支持されている液体用内容器の吸い出し口から液体用内容器内に吸い込み管を差し込み液体を吸い込んで外部へ吐出する注出ポンプとからなる詰め替え容器が提案されている（例えば、特許文献１，２参照。）。
【先行技術文献】
【特許文献】
【０００３】
【特許文献１】特開平７−３３０００３号公報
【特許文献２】実公平７−３８１７３号公報
【発明の概要】
【発明が解決しようとする課題】
【０００４】
詰め替え容器にあっては、できるだけ液体用内容器から最後の液体まで吸い出すことが望まれるが、特許文献１、２で提案されているような詰め替え容器では、このような配慮は全くなされていない。
液体用内容器から最後の液体まで吸い出すためには、液体用内容器内の液体を底部の１箇所に集め、その場所に注出ポンプの吸い込み管の先端が位置するようにすればよい。
このような底部の形状として、底部の中心を最深部とする錐形に形成することが考えられる。底部が中心を最深部とする錐形に形成された液体用内容器によれば、液体を底部の最深部に集めることができ、その場所に注出ポンプの吸い込み管の先端を位置させることにより、注出後の液体用内容器に残存する液体を最少にすることができる。
【０００５】
このような底部形状を有する液体用内容器のみを陳列販売するような場合、底部が錐形になっているため自立性に欠け、上面を下側にする、即ち上下逆にしたほうが安定良く陳列できる。しかし、底部を上側となるように陳列すると液体用内容器の胴部面に印刷された製品のロゴや液体内容の表示等の印刷が逆さになってしまうといった問題がある。また、逆に陳列時にロゴ等の方向が合うように印刷すると、液体用内容器の使用時に印刷が逆さになってしまうといった問題がある。
【０００６】
また、支持体に支持されている液体用内容器は、錐形に形成された液体用内容器の底部の先端が支持体の支持面に受けられているので、取り扱い中、例えば、液体用内容器内に収容されている液体の重量により錐形に形成された底部の先端部位が変形するおそれがあるといった問題がある。
【０００７】
本発明の目的は、底部が中心を最深部とする錐形に形成された液体用内容器を上下方向を変えること無く自立可能とするとともに、錐形に形成された底部の先端部位の変形を防止できる詰め替え容器を提供することにある。
【課題を解決するための手段】
【０００８】
上記の目的を達成するために、請求項１に記載の発明は、上面部中央に吸い出し口を有し、底部が中心を最深部とする錐形に形成され、内部に液体を収容し、液体の消尽時に交換される液体用内容器と、前記液体用内容器の底部を支え前記液体用内容器を起立状に支持する支持体と、前記支持体に支持された前記液体用内容器の外周に上部から嵌合して内部に前記液体用内容器を収納し、その先端部を前記支持体に掛止可能とした蓋体と、前記蓋体の頂面部に設けられ、前記支持体に支持されている前記液体用内容器の前記吸い出し口から前記液体用内容器内に吸い込み管を差し込み液体を吸い込んで外部へ吐出する注出ポンプとからなり、前記蓋体を前記液体用内容器の外周に上部から嵌合したとき、前記注出ポンプの前記吸い込み管が前記液体用内容器の前記吸い出し口に差し込まれるようになっている詰め替え容器であって、前記液体用内容器は液体用内容器本体の下部に、錐形に形成された前記底部を覆い前記液体用内容器を起立可能とするスカート部が設けられていることを特徴とする。
【０００９】
請求項１に記載の発明によれば、前記液体用内容器は液体用内容器本体の下部に、中心を最深部とする錐形に形成された前記底部を覆い前記液体用内容器を起立可能とするスカート部が設けられているので、前記スカート部を載置面に当接させることにより、前記底部を下に向けた状態で前記液体用内容器を起立させることができる。
これにより、前記液体用内容器のみを陳列販売するような場合、前記液体用内容器の上面側を上にした通常の状態で陳列することができるので、液体用内容器の胴部面に印刷された製品のロゴや液体内容の表示等の印刷にも、その方向性に特別な配慮をする必要が無くなる。
また、前記底部は前記スカート部に覆われているので、前記液体用内容器を載置面に載置したとき前記底部は載置面に当接することがなく、これにより錐形に形成された前記底部の先端部位が変形するおそれがない。
【００１０】
請求項２に記載の発明は、請求項１に記載の、前記スカート部は、前記支持体に支持されている前記液体用内容器の外周に嵌合した前記蓋体の先端部が前記支持体に掛止した位置で、前記支持体に支持されている前記液体用内容器の垂直方向の位置を、前記吸い出し口から差し込まれた前記注出ポンプの前記吸い込み管の先端が前記底部の錐形内に位置するように位置決めする長さに設定されていることを特徴とする。
【００１１】
請求項２に記載の発明によれば、前記スカート部は、前記支持体に支持されている前記液体用内容器の外周に嵌合した前記蓋体の先端部が前記支持体に掛止した位置で、前記支持体に支持されている前記液体用内容器の垂直方向の位置を、前記吸い出し口から差し込まれた前記注出ポンプの前記吸い込み管の先端が前記底部の錐形内に位置するように位置決めする長さに設定されているので、前記支持体に支持された前記液体用内容器の外周に前記蓋体を嵌合し、前記蓋体の先端部を前記支持体に掛止させることにより、前記蓋体の前記液体用内容器の外周への嵌合に伴って、前記支持体に支持されている前記液体用内容器の前記吸い出し口から前記液体用内容器内に差し込まれた前記注出ポンプの前記吸い込み管の先端は、前記底部の最深部方向へ向かって進み、前記スカート部により、前記液体用内容器の前記底部の錐形内に位置することになる。
これにより、前記注出ポンプにより吸い出され減少し、そして前記液体用内容器の前記底部の錐形内に集まった液体は、前記底部の錐形内に位置する前記注出ポンプの前記吸い込み管の先端から吸い込まれて注出されるので、注出後の前記液体用内容器内に残存する液体を最少にすることができる。
【発明の効果】
【００１２】
本発明に係る詰め替え容器によれば、底部が中心を最深部とする錐形に形成された液体用内容器を上下方向を変えること無く自立可能とすることができるので、液体用内容器のみを陳列販売するような場合、液体用内容器の上面側を上にした通常の状態で陳列しても液体用内容器の胴部面に印刷された製品のロゴや液体内容の表示等の印刷が逆さにならず、製品の宣伝効果を向上させることができる。
また、液体用内容器の底部は スカート部に覆われているので、錐形に形成された底部の先端部位の変形を防止することができる。
また、スカート部の長さを、支持体に支持されている液体用内容器の外周に嵌合した蓋体の先端部が支持体に掛止した位置で、支持体に支持されている液体用内容器の垂直方向の位置を、吸い出し口から差し込まれた注出ポンプの吸い込み管の先端が底部の錐形内に位置するように位置決めする長さに設定することにより、注出後の液体用内容器内に残存する液体を最少にすることができる。
【図面の簡単な説明】
【００１３】
【図１】本発明に係る詰め替え容器の実施の形態の一例を示す分解断面図である。
【図２】図１に示す詰め替え容器における支持体を示す斜視図である。
【図３】図１に示す詰め替え容器における液体用内容器を示す斜視図である。
【図４】液体用内容器本体の下部にスカート部を設ける説明図である。
【図５】図４に示す液体用内容器本体の組み立て加工前のカートンブランクを示す展開図である。
【図６】図４に示す液体用内容器本体の上面部を形成する工程を示す説明図である。
【図７】図４に示す液体用内容器本体の上面部を形成する工程を示す説明図である。
【図８】支持体に支持された液体用内容器の外周に蓋体を嵌合した状態を示す断面図である。
【発明を実施するための形態】
【００１４】
以下、本発明に係る詰め替え容器の実施の形態の一例を図面を参照して詳細に説明する。
図１は本発明に係る詰め替え容器の実施の形態の一例を示す分解断面図、図２は、図１に示す詰め替え容器における支持体を示す斜視図、図３は図１に示す詰め替え容器における液体用内容器を示す斜視図、図４は液体用内容器本体の下部にスカート部を設ける説明図、図５は図４に示す液体用内容器本体の組み立て加工前のカートンブランクを示す展開図、図６は図４に示す液体用内容器本体の上面部を形成する工程を示す説明図、図７は図４に示す液体用内容器本体の上面部を形成する工程を示す説明図、図８は支持体に支持された液体用内容器の外周に蓋体を嵌合した状態を示す断面図である。
【００１５】
本例の詰め替え容器１は、上面部２の中央に破断可能な封止シート３で封止された吸い出し口４を有し、底部５が中心を最深部Ｄとする錐形に形成され、内部に液体を収容し、液体の消尽時に交換される液体用内容器６と、液体用内容器６の底部５を支え液体用内容器６を起立状に支持する支持体７と、支持体７に支持された液体用内容器６の外周に上部から嵌合して内部に液体用内容器６を収納し、その先端部８を支持体７に掛止可能とした蓋体９と、蓋体９の頂面部１０に設けられ、支持体７に支持されている液体用内容器６の吸い出し口４から液体用内容器６内に吸い込み管１１を差し込み液体を吸い込んで外部へ吐出する注出ポンプ１２とからなり、蓋体９を液体用内容器６の外周に上部から嵌合したとき、注出ポンプ１２の吸い込み管１１が液体用内容器６の吸い出し口４に差し込まれるようになっている。
そして、液体用内容器６は、液体用内容器本体１３の下部に、錐形に形成された底部５を覆い液体用内容器６を起立可能とするスカート部１４が設けられている（図３参照。）。
【００１６】
先ず、支持体７について説明すると、支持体７は液体用内容器６の底部５を支え液体用内容器６を起立状に支持できるものであれば、その形状に特に限定されない。
本例の支持体７は上面を液体用内容器６の下部側端部を受ける支持面１５とする台座１６と、台座１６の支持面１５に設けられ、液体用内容器本体１３の下部に設けられているスカート部１４の内部に入り、スカート部１４の四隅に当接して、支持面１５上に液体用内容器６を垂直方向に起立させた状態に支持する支持枠部１７とで構成されている（図２参照。）。
台座１６は、液体用内容器６の外形に応じた形状に形成されており、本例では台座１６の外形は、液体用内容器６の胴部１８の外形と概ね同寸法で同形となっている。また、台座１６の外周には蓋体９の先端部８が掛止可能な掛止段部１９が形成されている。
【００１７】
次に、蓋体９について説明すると、本例の蓋体９は、支持体７に支持された液体用内容器６の外周に上部から嵌合して内部に液体用内容器６を収納する筒壁部２０を備えている。本例では、筒壁部２０は支持体７に支持された液体用内容器６の外周に嵌合するとともに、支持体７の台座１６の外周に嵌合し、その先端部８が台座１６の外周に形成されている掛止段部１９に掛止するようになっている。
【００１８】
次に、蓋体９の頂面部１０に設けられた注出ポンプ１２に付いて説明すると、筒状シリンダ部２１と、筒状シリンダ部２１の上部に設けられ、筒状シリンダ部２１内に摺動自在に嵌合するピストンの操作部を兼ねる注出ノズル２２と、筒状シリンダ部２１の下部に設けられた吸い込み管１１で構成されている。
【００１９】
次に、液体用内容器６について説明すると、液体用内容器６は前記したように、液体用内容器本体１３と、液体用内容器本体１３の下部に設けられたスカート部１４とにより構成されている。
【００２０】
液体用内容器本体１３にあっては、本例では、少なくとも片面に樹脂層が積層された紙素材からなり、胴部縦折線２３，２４，２５を介して４つの胴部パネル２６，２７，２８，２９を備え、胴部パネル２９にシール縦折線３０を介して連設した縦方向シールパネル３１によって胴部パネル２６の縁部が接合されて四角の筒状に形成された胴部１８を有している。
【００２１】
液体用内容器６の上面部２、即ち液体用内容器本体１３の上面部２にあっては次のように構成されている。
胴部パネル２６，２８の上端に、頂部横折線３２，３３を介して互いに対向し上下に重ねられる一対の上面部形成パネル３４，３５が連設され、そして、上面部形成パネル３４の下側に重なる上面部形成パネル３５の上端には、上面部形成パネル３４の内面にシールされるシールパネル３６が連設されている。
【００２２】
また、胴部パネル２７，２９の上端に、前記した一対の上面部形成パネル３４，３５の間に位置して互いに対向し、一対の上面部形成パネル３４，３５の重ね合わせに伴って折り畳まれる一対の側面パネル３７，３８が、頂部横折線３９，４０を介して連設されている。
【００２３】
また、上面部形成パネル３４，３５には、それぞれの中央に位置して吸い出し口４となる穴４１ａ，４１ｂが形成されており、穴４１ａ，４１ｂは上面部形成パネル３４，３５を重ねたとき穴４１ａと穴４１ｂの中心が一致するように開口している。そして、上面部形成パネル３５の裏面には、封止シート３が穴４１ｂを塞ぐように設けられており、注出ポンプ１２の吸い込み管１１を突き刺すことにより破断できるようになっている。
【００２４】
封止シート３は、上面部形成パネル３５の裏面に貼付されて設けられてもよく、液体用内容器本体１３を構成する樹脂層を形成した紙素材に積層された積層物と一体となって設けられてもよい。また、封止シート３は、液体を浸透させずかつ破断可能であれば、その材質に特に限定されるものではない。封止シート３としては、樹脂膜、金属箔、紙、またはそれらの積層体が例示される。
【００２５】
上面部形成パネル３４，３５と側面パネル３７，３８とによる液体用内容器本体１３の上面部２の形成にあっては、胴部１８を形成した後、先ず、上面部形成パネル３５を内側へ折り、これに伴うように、側面パネル３７，３８を三角形状に内面側へ折り畳み、胴部１８の上側開口部を上面部形成パネル３５で塞ぐ。そして、上面部形成パネル３５の上端に連設されているシールパネル３６を上面部形成パネル３４の内面にＳ１の範囲でシールするとともに、上面部形成パネル３５の両側縁を三角形状に折り畳んだ側面パネル３７，３８をＳ２の範囲でシールする（図６参照。）。
【００２６】
次に、側面パネル３７，３８を外側（図６で示す矢印方向。）に折り畳むようにして上面部形成パネル３４を上面部形成パネル３５の上に重ね（図７参照。）、折り畳まれて胴部１８の外側へ突出した側面パネル３７，３８を下方（図７で示す矢印方向。）へ折り、胴部１８へ接着等により固定して上面部２が形成される。
【００２７】
また、液体用内容器本体１３の底部５にあっては、本例では次のように構成されている。
胴部パネル２６，２８の下端に、底部横折線４２，４３を介して互いに対向する一対の切妻屋根形底部形成パネル４４，４５が連設されている。切妻屋根形底部形成パネル４４，４５の下部には帯状の外側シールパネル４６，４７が連設されている。
【００２８】
また、胴部パネル２７，２９の下端に、底部横折線４８，４９を介して互いに対向する一対の妻壁形底部形成パネル５０，５１が連設されている。妻壁形底部形成パネル５０，５１の下部には外側シールパネル４６，４７よりも低い高さの帯状の内側シールパネル５２，５３が連設されている。
【００２９】
そして、切妻屋根形底部形成パネル４４，４５と妻壁形底部形成パネル５０，５１とによる底部５の形成にあっては、切妻屋根形底部形成パネル４４，４５間に妻壁形底部形成パネル５０，５１が折り込まれて、対向する外側シールパネル４６，４７の対向面同士がシールされるとともに、外側シールパネル４６，４７と内側シールパネル５２，５３との対向面同士および内側シールパネル５２，５３の対向面同士もまたシールされ、いわゆる逆切妻屋根状の四角錐形に形成されている（図４参照。）。
【００３０】
スカート部１４にあっては、本例では筒状に形成され、液体用内容器本体１３の下部外周に底部５を完全に覆うように嵌合され、液体用内容器本体１３に固定されている（図３，図４参照。）。
また、スカート部１４は、本例では少なくとも片面に樹脂層が積層された紙素材からなり、液体用内容器本体１３の外周にホットメルトにより固定されている。
このようにして液体用内容器本体１３の下部に嵌合されたスカート部１４の下端縁１４ａは、液体用内容器６を垂直状に起立可能とする角度に形成されている。
また、本例では、スカート部１４の長さが、支持体７に支持されている液体用内容器６の外周に嵌合した蓋体９の先端部８が支持体７の掛止段部１９に掛止した位置で、支持体７に支持されている液体用内容器６の垂直方向の位置を、吸い出し口４から差し込まれた注出ポンプ１２の吸い込み管１１の先端１１ａが底部５の錐形内に位置するように位置決めする長さに設定されている。本例では、注出ポンプ１２の吸い込み管１１の先端１１ａが底部５の錐形内の最深部Ｄに位置するように位置決めする長さに設定されている。
【００３１】
なお、本例では液体用内容器本体１３は、胴部が四角の筒状に形成されているが、多角形や円形、楕円形であってもよい。
【００３２】
このように構成された詰め替え容器１によれば、液体用内容器６は液体用内容器本体１３の下部に、中心を最深部Ｄとする錐形に形成された底部５を覆い液体用内容器６を起立可能とするスカート部１４が設けられているので、スカート部１４を載置面に当接させることにより、底部５を下に向けた状態で液体用内容器６を垂直状起立させることができる。
また、底部５は スカート部１４に覆われているので、液体用内容器６を載置面に載置したとき底部５は載置面に当接することがなく、これにより錐形に形成された底部５の先端部位が変形するおそれがない。
【００３３】
また、本例では、スカート部１４は、支持体７に支持されている液体用内容器６の外周に嵌合した蓋体９の先端部８が支持体７に掛止した位置で、支持体７に支持されている液体用内容器６の垂直方向の位置を、吸い出し口４から差し込まれた注出ポンプ１２の吸い込み管１１の先端１１ａが底部５の錐形内に位置するように位置決めする長さに設定されているので、支持体７に支持された液体用内容器６の外周に蓋体９を嵌合し、蓋体９の先端部８を支持体７に掛止させることにより、液体用内容器６内に差し込まれた注出ポンプ１２の吸い込み管１１の先端１１ａは、底部５の錐形内に位置することになる（図８参照。）。
これにより、液体用内容器６内の液体が注出ポンプ１２により吸い出され減少し、そして底部５の錐形内に集まった液体は、底部５の錐形内に位置する注出ポンプ１２の吸い込み管１１の先端１１ａから吸い込まれて注出されるので、注出後の液体用内容器６内に残存する液体を少なくすることができる。
本例では、注出ポンプ１２の吸い込み管１１の先端１１ａが底部５の錐形内の最深部Ｄに位置するように位置決めする長さに設定されているので、注出後の液体用内容器６内に残存する液体を最少にすることができる。
【００３４】
また、液体用内容器６を支持する支持体７は、本例では、上面を液体用内容器６の下部側端部を受ける支持面１５とする台座１６と、台座１６の支持面１５に設けられ、液体用内容器本体１３の下部に設けられているスカート部１４の内部に入り、スカート部１４の四隅に当接して、支持面１５上に液体用内容器６を垂直方向に起立させた状態に支持する支持枠部１７とで構成されているので、液体用内容器６を支持枠部１７により垂直方向に起立させた状態に安定良く支持することができる。
【符号の説明】
【００３５】
１  詰め替え容器
２  上面部
３  封止シート
４  吸い出し口
５  底部
６  液体用内容器
７  支持体
８  先端部
９  蓋体
１０  頂面部
１１  吸い込み管
１１ａ  先端
１２  注出ポンプ
１３  液体用内容器本体
１４  スカート部
１４ａ  下端縁
１５  支持面
１６  台座
１７  支持枠部
１８  胴部
１９  掛止段部
２０  筒壁部
２１  筒状シリンダ部
２２  注出ノズル
２３，２４，２５  胴部縦折線
２６，２７，２８，２９  胴部パネル
３０  シール縦折線
３１  縦方向シールパネル
３２，３３  頂部横折線
３４，３５  上面部形成パネル
３６  シールパネル
３７，３８  側面パネル
３９，４０  頂部横折線
４１ａ，４１ｂ  穴
４２，４３  底部横折線
４４，４５  切妻屋根形底部形成パネル
４６，４７  外側シールパネル
４８，４９  底部横折線
５０，５１  妻壁形底部形成パネル
５２，５３  内側シールパネル
Ｄ  最深部
【図１】
2020026288.tif 000003
【図２】
2020026288.tif 000004
【図３】
2020026288.tif 000005
【図４】
2020026288.tif 000006
【図５】
2020026288.tif 000007
【図６】
2020026288.tif 000008
【図７】
2020026288.tif 000009
【図８】
2020026288.tif 000010